(57)【要約】      （修正有）【課題】構成要素が頑丈で、製造コストが低減され、電気的特性が改善された、有利な電気コネクタのラッチ機構を提供する。【解決手段】ミニＵＳＢ型電気コネクタなどの電気コネクタが提供される。電気コネクタは、導体アセンブリと、導体アセンブリを受容する絶縁ハウジングと、ハウジングを包囲する金属シュラウドとを備える。金属シュラウドは、その上部に設けられた可撓性カンチレバースナップラグと、その上部以外の側面に設けられたラッチとを有する。可撓性カンチレバースナップラグ及びラッチが電子装置又は電気装置のかみ合いポートのかみ合い部分に連結するように適合されている。ポートへのコネクタの安定性のある連結を達成し、信号通信の質を改善し、耐用寿命を延長することができる。【選択図】図１
0003109782.tif 000002
【実用新案登録請求の範囲】
【請求項１】
電気コネクタであって、
導体アセンブリと、
前記導体アセンブリを受容するための絶縁性ハウジングと、
前記ハウジングを囲む金属シュラウドであって、その上面に設けられた可撓性カンチレバースナップラグと、前記上面以外の側面に設けられたラッチとを有する金属シュラウドとを備え、
前記可撓性カンチレバースナップラグ及び前記ラッチが装置のかみ合いポートのかみ合い部分に連結するように適合されている、電気コネクタ。
【請求項２】
前記ラッチが前記シュラウドの底部に形成されている請求項１に記載の電気コネクタ。
【請求項３】
前記ラッチが前記シュラウドの両側面に形成されている請求項１に記載の電気コネクタ。
【請求項４】
前記ラッチが前記シュラウドの底部及び両側面に形成されている請求項１に記載の電気コネクタ。
【考案の詳細な説明】
【技術分野】
【０００１】
本考案は電気コネクタに関し、より詳細には、ミニＵＳＢ（Ｕｎｉｖｅｒｓａｌ  Ｓｅｒｉａｌ  Ｂｕｓ）型の電気コネクタに設けられるラッチ機構に関する。このラッチ機構は、電子装置又は電気装置に形成されたかみ合いポートに電気コネクタがそのラッチ機構によって確実に固定されるように設けられる。
【背景技術】
【０００２】
エレクトロニクスの技術の進歩により最近入手可能なノート型パソコンには広くミニＵＳＢ型電気コネクタが設けられている。このようなミニＵＳＢ型電気コネクタはそのコンパクトさ及び他の有利な電気的特性により人気を得ている。しかし、ミニＵＳＢ型電気コネクタの製造工程及び挿入安定性には、以下に詳細に述べるように依然として多くの問題がある。
【０００３】
電子装置又は電気装置のかみ合いポートへの電気コネクタの確実な固定は非常に重要である。例えば、ミニＵＳＢ型電気コネクタ又はいわゆる雄コネクタは、絶縁ハウジングと、ハウジング内の導体アセンブリと、ハウジングを囲む金属シュラウドとを備える。
【０００４】
しかし、電子装置又は電気装置に形成されたポートとコネクタとの連結は緩み易い。これは、例えば、シュラウドには多くの可撓性カンチレバースナップラグが設けられているが、残念なことに、その可撓性カンチレバースナップラグは、接続されたコネクタとポートの固定に安定性をもたらすほどには頑丈でないためである。従って、ケーブルに取り付けられたコネクタは、連結される装置に外部から提供されるので、コネクタはケーブルを引っ張る過程で離脱し得る。これによりコネクタとケーブルとの間の電気的接触が不良になる恐れがある。ミニＵＳＢ型電気コネクタを着脱する回数は従来の電気コネクタよりも多いものと思われる。従って、従来の構造を組み込んだミニＵＳＢ型電気コネクタは、所定の使用回数後にコネクタの可撓性カンチレバースナップラグが弾性疲労を受け、不注意でケーブルを引っ張ることによりコネクタとポートとの連結が弱められるので、安定した接続を確保できない。従って、ミニＵＳＢ型電気コネクタの開発の継続的な改善が絶えず求められている。
【考案の開示】
【考案が解決しようとする課題】
【０００５】
本考案の目的は、構成要素が頑丈で、製造コストが低減され、電気的特性が改善された、有利な電気コネクタのラッチ機構を提供することにある。
【課題を解決するための手段】
【０００６】
上記目的を達成するために、請求項１に記載の考案は、電気コネクタにおいて、導体アセンブリと、前記導体アセンブリを受容するための絶縁性ハウジングと、前記ハウジングを囲む金属シュラウドであって、その上面に設けられた可撓性カンチレバースナップラグと、前記上面以外の側面に設けられたラッチとを有する金属シュラウドとを備え、前記可撓性カンチレバースナップラグ及び前記ラッチが装置のかみ合いポートのかみ合い部分に連結するように適合されていることを要旨とする。
【０００７】
請求項２に記載の考案は、請求項１に記載の電気コネクタにおいて、前記ラッチが前記シュラウドの底部に形成されていることを要旨とする。
請求項３に記載の考案は、請求項１に記載の電気コネクタにおいて、前記ラッチが前記シュラウドの両側面に形成されていることを要旨とする。
【０００８】
請求項４に記載の考案は、請求項１に記載の電気コネクタにおいて、前記ラッチが前記シュラウドの底部及び両側面に形成されていることを要旨とする。
本考案の提供する電気コネクタは、複数の導体を有する導体アセンブリと、絶縁性ハウジングであって、熱可塑性材料の射出成形により形成され、挿入される導体アセンブリを受容するために該ハウジングの後部に設けられた平行な溝と、両側面に設けられた２つのトラフと、トラフ上に設けられたスロットとを備え、上記スロットがハウジングを位置決めするよう適合されている、絶縁性ハウジングと、金属板から一体的に形成され、前記ハウジングを囲む金属シュラウドとを備える。前記金属シュラウドは、該シュラウドの上部に設けられた可撓性カンチレバースナップラグと、該シュラウドの両側面上に設けられた２つのタブと、上記タブは固定のためにスロットに挿入されるよう適合されていることと、タブから下方内側に延びる２つの湾曲部材と、該湾曲部材は、ハウジングが垂直方向にずれないように、トラフにかみ合って係合するように適合されていることと、幅が狭い底部と、底部の後方に突き出して設けられたラッチとを有する。前記可撓性カンチレバースナップラグ及び前記ラッチは電子装置又は電気装置の連結ポートのかみ合い部分に連結するように適合されている。これを利用することにより、電気コネクタのポートへの連結が安定し、信号通信の質が改善され、耐用寿命が延長される。
【考案を実施するための最良の形態】
【０００９】
本考案の上記及び他の目的、特徴、利点は、添付の図面を用いた以下の詳細な説明から明らかになる。
図１〜図３を参照すると、本考案の好適な実施形態に係るラッチ機構を組み込んだミニＵＳＢ型電気コネクタ１００が示されている。電気コネクタ１００は、絶縁ハウジング２０と、ハウジング２０に取り付けられた導体アセンブリ３０と、ハウジング２０を包囲するための金属シュラウド１０とを備える。各構成要素について以下で詳細に説明する。
【００１０】
ハウジング２０は、熱可塑性材料の射出成形により形成される。ハウジング２０は、挿入される導体アセンブリ３０の導体を受容するためにハウジング２０の後部に設けられた平行な溝２３と、底部２１の両側面に近接した２本の脚２１１であって、ＰＣＢ（プリント回路基板）に配置されるように適合されている脚２１１と、両側面２２に設けられた２つのトラフ２２２と、トラフ２２２上に設けられたスロット２２１とを備える。上記スロット２２１は以下に詳述するようにハウジング２０に配置されるよう適合されている。
【００１１】
シュラウド１０は、金属板から一体的に形成される。シュラウド１０は、上面１３上にある第１の可撓性カンチレバースナップラグ１３１と、第１の可撓性カンチレバースナップラグ１３１の両側に位置する２つの第２の可撓性カンチレバースナップラグ１３２とを備え、第２の可撓性カンチレバースナップラグ１３２の各々は第１の可撓性カンチレバースナップラグ１３１より小さい。また、シュラウド１０は、ハウジング２０が開口部１５を介してシュラウド１０へと挿入された後、後部開口部１５を被覆するために折り曲げられるように適合された後部延長部分１３３と、開口部１５近傍の両側面１２上の２つのタブ１２２とを備え、上記タブ１２２は、固定のためにスロット２２１に挿入される（即ち、ハウジング２０の長手方向の移動が防止される）よう適合されている。さらに、シュラウド１０は、タブ１２２から下方へ延び外側に向かう２つの第１の湾曲部材１２３と、タブ１２２から下方へ延び内側に向かう２つの第２の湾曲部材１２１とを備え、上記第２の湾曲部材１２１が第１の湾曲部材１２３から隙間をあけて配置されており、上記第２の湾曲部材１２１は、ハウジング２０が垂直方向にずれないように、トラフ２２２にかみ合って係合するように適合されている。
【００１２】
シュラウド１０の底部１１の幅は狭くなっている。離間された２つのラッチ１１１が底部１１の後方に突出している。第１及び第２の可撓性カンチレバースナップラグ１３１，
１３２とラッチ１１１とを備えることは、電子装置又は電気装置上に形成されたかみ合いポートへの電気コネクタ１００の連結を高めることを目的としており、その結果、確実な固定（即ち、電気コネクタと装置との接合部の安定性の改善）がもたらされ、従って信号通信の質の改善、耐用寿命の延長などの他の利点も得られる。予期されるのは、他の実施形態では、ラッチ１１１は、側面１２のどちらかに設けられてもよいし、底部１１及び側面１２の両方に設けられてもよい。
【００１３】
電気コネクタ１００の組立てには、導体アセンブリ３０の導体を溝２３に挿入する工程と、ハウジング２０を後部開口部１５からシュラウド１０に挿入する工程であって、タブ１２２がスロット２２１に固定され（即ち、ハウジング２０の長手方向の移動が防止される）第２の湾曲部材１２１がトラフ２２２に固定される（即ち、ハウジング２０の垂直方向の移動が防止される）工程と、後部開口部１５を被覆するために後部延長部分１３３を折り曲げる工程とを有する。
【００１４】
本明細書に開示された本考案は特定の実施形態により説明されたが、実用新案登録請求の範囲に記載される本考案の範囲及び精神を逸脱することなく、当業者により本考案に多数の修正及び変形がなされうる。
【図面の簡単な説明】
【００１５】
【図１】本考案に係る電気コネクタの好適な実施形態の分解斜視図。
【図２】図１に示された同一物を反対側から見た金属シュラウドの斜視図。
【図３】組み立てられた図１の電気コネクタの斜視図。
【符号の説明】
【００１６】
１０…金属シュラウド、２０…ハウジング、３０…導体アセンブリ、１００…電気コネクタ、１１１…ラッチ、１３１…第１の可撓性カンチレバースナッププラグ、１３２…第２の可撓性カンチレバースナッププラグ。
【図１】
0003109782.tif 000003
【図２】
0003109782.tif 000004
【図３】
0003109782.tif 000005